(57)【要約】例えば「ファミリー・プラン」または「ビジネス・プラン」のようなモバイル・デバイスのグループ内の１つのモバイル・デバイスが、マスタ電話として特定される。マスタ電話は、例えばスペシャルＳＭＳメッセージのようなメッセージを、グループ内の他のモバイル・デバイスへ発行する。これらスペシャルＳＭＳメッセージは、他のモバイル・デバイス上の機能を制御する（例えば、あるアプリケーション、プログラム、またはサービスをイネーブル／ディセーブルする）ように動作する。
2010501149.tif 000002
【特許請求の範囲】
【請求項１】
通信システム内の下位モバイル・デバイスにおける加入者サービスを変更するためにモバイル・デバイスを利用する方法であって、
少なくとも上位モバイル・デバイスと１または複数のその他のモバイル・デバイスを含むモバイル・デバイス・プランのメンバのうち、前記上位モバイル・デバイスのユーザを、入力データに基づいて認証することと、
前記入力データに基づいて、前記モバイル・デバイス・プランのメンバから、変更可能な加入者サービスを有する下位モバイル・デバイスを決定することと、
前記決定された下位モバイル・デバイスにおける少なくとも１つの変更可能な加入者サービスであって、前記入力データに基づいて、変更される加入者サービスを決定することと、
前記入力データに基づいて、前記少なくとも１つの変更可能な加入者サービスに適用される変更を決定することと、
前記決定された下位モバイル・デバイスに関連付けられた少なくとも１つの変更可能な加入者サービスに対する決定された変更に基づいて、前記決定された下位モバイル・デバイスのための命令群を生成することと、
前記生成された命令群を、前記下位モバイル・デバイスに送ることと
を備える方法。
【請求項２】
前記下位モバイル・デバイスに対して生成された命令群は、
前記決定された下位モバイル・デバイスのために生成された命令群を含むショート・メッセージ・サービス・メッセージを生成することと、
前記生成されたショート・メッセージ・サービス・メッセージを、前記通信システムを介して、前記決定された下位モバイル・デバイスへ送信することと
を備える請求項１に記載の方法。
【請求項３】
前記生成された命令群を下位モバイル・デバイスへ送ることは、前記決定された下位モバイル・デバイスのために生成された命令群をサービス・プロバイダへ通信することを備え、
前記サービス・プロバイダは、前記決定された下位モバイル・デバイスのために生成された命令群を含むショート・メッセージ・サービス・メッセージを生成し、
前記サービス・プロバイダは、前記生成されたショート・メッセージ・サービス・メッセージを、前記通信システムを介して、前記決定された下位モバイル・デバイスへ送信する請求項１に記載の方法。
【請求項４】
前記上位モバイル・デバイスは、無線インターネット・プロトコルを用いて前記サービス・プロバイダと通信する請求項３に記載の方法。
【請求項５】
前記少なくとも１つの変更可能な加入者サービスに適用される変更は、前記加入者サービスをイネーブルすること、前記加入者サービスをディセーブルすること、あるいは前記加入者サービスの一部を変更することからなるリストから選択される請求項１に記載の方法。
【請求項６】
前記少なくとも１つの変更可能な加入者サービスは、ビデオ電話通信、インスタント・メッセージング、ショート・メッセージ・システム・サービス、あるいはウェブサイト・フィルタリングからなるリストから選択される請求項１に記載の方法。
【請求項７】
通信システム内で動作する下位モバイル・デバイスにおける加入者サービスを変更する方法であって、
通信システム内で動作し、モバイル・デバイス・プランに関連付けられた下位モバイル・デバイスへの伝送を受信することを備え、
前記伝送は、前記下位モバイル・デバイス上で動作する少なくとも１つの変更可能な加入者サービスを変更する命令群を含み、前記命令群は、前記モバイル・デバイス・プランに関連付けられた上位モバイル・デバイスから発行され、前記下位モバイル・デバイスは、前記上位モバイル・デバイスの下位にあり、
前記方法はさらに、
前記受信された伝送を認証することと、
前記受信され認証された伝送を解析することと、
前記下位モバイル・デバイスで動作する少なくとも１つの変更可能な加入者サービスに関連付けられた命令群を、前記受信され解析された伝送から特定することと、
前記特定された命令群に基づいて、前記少なくとも１つの変更可能な加入者サービスを変更することと
を備える方法。
【請求項８】
加入者サービスの変更の検証を生成することと、
前記生成された検証を送信することと
をさらに備える請求項７に記載の方法。
【請求項９】
前記受信された伝送は、前記上位モバイル・デバイスによって生成されたショート・メッセージ・システム・メッセージである請求項７に記載の方法。
【請求項１０】
前記受信された伝送は、サービス・プロバイダにおいて受信された前記上位モバイル・デバイスからの命令群に基づいて、前記サービス・プロバイダによって生成されたショート・メッセージ・システム・メッセージである請求項７に記載の方法。
【請求項１１】
前記少なくとも１つの変更可能な加入者サービスへ適用される変更は、前記加入者サービスをイネーブルすること、前記加入者サービスをディセーブルすること、あるいは前記加入者サービスの一部を変更することからなるリストから選択される請求項７に記載の方法。
【請求項１２】
前記少なくとも１つの変更可能な加入者サービスは、ビデオ電話通信、インスタント・メッセージング、ショート・メッセージ・システム・サービス、あるいはウェブサイト・フィルタリングからなるリストから選択される請求項７に記載の方法。
下位モバイル・デバイスで動作する加入者サービスの遠隔制御を、モバイル・デバイス・プランの上位モバイル・デバイスに提供するシステムであって、
セルラ通信システム・インフラストラクチャと、
上位モバイル・デバイスとを備え、
前記上位モバイル・デバイスは、
第１の通信バスと、
少なくとも第１の通信ポートと、
第１のユーザ・インタフェースと、
少なくとも第１のプロセッサと、
前記第１のプロセッサと通信する少なくとも第１の記憶装置デバイスと、
前記第１のプロセッサによって読取可能な第１のコンピュータ読取可能メモリ・デバイスとを備え、
前記第１のコンピュータ読取可能メモリ・デバイスは、
入力データに基づいて、モバイル・デバイス・プランのメンバから、変更可能な加入者サービスを有する下位モバイル・デバイスを決定し、
前記決定された下位モバイル・デバイス上で動作する少なくとも１つの変更可能な加入者サービスであって、前記入力データに基づいて、変更される加入者サービスを決定し、
前記入力データに基づいて、前記少なくとも１つの変更可能な加入者サービスに適用される変更を決定し、
前記決定された下位モバイル・デバイスに関連付けられた少なくとも１つの変更可能な加入者サービスに対する決定された変更に基づいて、前記決定された下位モバイル・デバイスのための命令群を生成し、
前記生成された命令群を、前記下位モバイル・デバイスに送る
ことを前記第１のプロセッサに対して実行させるように構成されたコンピュータ実行可能な一連のステップを含み、
前記システムはさらに、
前記モバイル・デバイス・プランに関連付けられ前記上位モバイル・デバイスと通信する下位モバイル・デバイスを備え、
前記下位モバイル・デバイスは、
第２の通信バスと、
少なくとも第２の通信ポートと、
第２のユーザ・インタフェースと、
少なくとも第２のプロセッサと、
少なくとも前記第２のプロセッサと通信する第２の記憶装置デバイスと、
前記第２のプロセッサによって読取可能な少なくとも第２のコンピュータ読取可能メモリ・デバイスとを備え、
前記第２のコンピュータ読取可能メモリ・デバイスは、
前記上位モバイル・デバイスの下位にある前記下位モバイル・デバイスで動作する少なくとも１つの変更可能な加入者サービスを変更する命令群であって、前記モバイル・デバイス・プランに関連付けられた上位モバイル・デバイスから発行された命令群を含む伝送を受信し、
前記受信された伝送を認証し、
前記受信され認証された伝送を解析し、
前記下位モバイル・デバイスで動作する少なくとも１つの変更可能な加入者サービスに関連付けられた命令群を、前記受信され解析された伝送から特定し、
前記特定された命令群に基づいて、前記少なくとも１つの変更可能な加入者サービスを変更する
ことを前記第２のプロセッサに対して実行させるように構成されたコンピュータ実行可能な一連のステップを含むシステム。
【請求項１３】
前記プロセッサに対して、前記生成された命令群を、前記下位モバイル・デバイスへ送らせるように構成された前記コンピュータ実行可能な一連のステップは、
前記決定された下位モバイル・デバイスのために生成された命令群を含むショート・メッセージ・サービス・メッセージを生成し、
前記生成されたショート・メッセージ・サービス・メッセージを、セルラ通信システム・インフラストラクチャを介して、前記決定された下位モバイル・デバイスへ送信する
ことを前記プロセッサに対して実行させるように構成されたコンピュータ実行可能なステップを備える請求項１３に記載のシステム。
【請求項１４】
前記下位モバイル・デバイスによって受信された伝送は、前記上位モバイル・デバイスによって生成されたショート・メッセージ・システム・メッセージである請求項１４に記載のシステム。
【請求項１５】
前記プロセッサに対して、前記生成された命令群を、前記下位モバイル・デバイスへ送らせるように構成された前記コンピュータ実行可能な一連のステップは、
前記プロセッサに対して、前記決定された下位モバイル・デバイスのために生成された命令群を、サービス・プロバイダへ通信させるように構成されたコンピュータ実行可能なステップを備え、
前記サービス・プロバイダは、前記決定された下位モバイル・デバイスのための生成された命令を含むショート・メッセージ・サービス・メッセージを生成し、
前記サービス・プロバイダは、前記生成されたショート・メッセージ・サービス・メッセージを、前記通信システムを介して、前記決定された下位モバイル・デバイスへ送る請求項１３に記載のシステム。
【請求項１６】
前記下位モバイル・デバイスによって受信された伝送は、前記サービス・プロバイダにおいて受信された前記上位モバイル・デバイスからの命令群に基づいて、前記サービス・プロバイダによって生成されたショート・メッセージ・システム・メッセージである請求項１６に記載のシステム。
【請求項１７】
前記上位モバイル・デバイスは、無線インターネット・プロトコルを用いて前記サービス・プロバイダと通信する請求項１３に記載のシステム。
【請求項１８】
前記少なくとも１つの変更可能な加入者サービスに適用される変更は、前記加入者サービスをイネーブルすること、前記加入者サービスをディセーブルすること、あるいは前記加入者サービスの一部を変更することからなるリストから選択される請求項１３に記載のシステム。
【請求項１９】
前記少なくとも１つの変更可能な加入者サービスは、ビデオ電話通信、インスタント・メッセージング、ショート・メッセージ・システム・サービス、あるいはウェブサイト・フィルタリングからなるリストから選択される請求項１３に記載のシステム。
【請求項２０】
前記第２のコンピュータ読取可能メモリ・デバイスはさらに、
加入者サービスの変更の検証を生成し、
前記生成された検証を送信する
ことを前記プロセッサに対して実行させるように構成されたコンピュータ実行可能な一連のステップを含む請求項１３に記載のシステム。
【請求項２１】
通信システム内の下位モバイル・デバイスにおける加入者サービスを変更するためにモバイル・デバイスを利用するコンピュータ・プログラムを格納するコンピュータ読取可能媒体であって、
少なくとも、上位モバイル・デバイスと、前記上位デバイスの下位にある１または複数の下位モバイル・デバイスを含むモバイル・デバイス・プランのメンバのうち、前記上位モバイル・デバイスのユーザを、入力データに基づいて認証するためのコンピュータ読取可能コードと、
前記入力データに基づいて、前記モバイル・デバイス・プランのメンバから、変更可能な加入者サービスを有する下位モバイル・デバイスを決定するためのコンピュータ読取可能コードと、
前記決定された下位モバイル・デバイスで動作する少なくとも１つの変更可能な加入者サービスであって、前記入力データに基づいて、変更される加入者サービスを決定するためのコンピュータ読取可能コードと、
前記入力データに基づいて、前記少なくとも１つの変更可能な加入者サービスに適用される変更を決定するためのコンピュータ読取可能コードと、
前記決定された下位モバイル・デバイスに関連付けられた少なくとも１つの変更可能な加入者サービスに対する決定された変更に基づいて、前記決定された下位モバイル・デバイスのための命令群を生成するためのコンピュータ読取可能コードと、
前記生成された命令群を、前記下位モバイル・デバイスに送るためのコンピュータ読取可能コードと
を備えるコンピュータ読取媒体。
【請求項２２】
前記下位モバイル・デバイスに対して生成された命令群を送るためのコンピュータ読取可能コードは、
前記決定された下位モバイル・デバイスのために生成された命令群を含むショート・メッセージ・サービス・メッセージを生成するためのコンピュータ読取可能コードと、
前記生成されたショート・メッセージ・サービス・メッセージを、前記通信システムを介して、前記決定された下位モバイル・デバイスへ送信するためのコンピュータ読取可能コードと
を備える請求項２２に記載のコンピュータ読取媒体。
【請求項２３】
前記生成された命令群を下位モバイル・デバイスへ送るためのコンピュータ読取可能コードは、前記決定された下位モバイル・デバイスのために生成された命令群をサービス・プロバイダへ通信するためのコンピュータ読取可能コードを備え、
前記サービス・プロバイダは、前記決定された下位モバイル・デバイスのために生成された命令群を含むショート・メッセージ・サービス・メッセージを生成し、
前記サービス・プロバイダは、前記生成されたショート・メッセージ・サービス・メッセージを、前記通信システムを介して、前記決定された下位モバイル・デバイスへ送信する請求項２２に記載のコンピュータ読取媒体。
【請求項２４】
前記上位モバイル・デバイスは、無線インターネット・プロトコルを用いて前記サービス・プロバイダと通信する請求項２４に記載のコンピュータ読取媒体。
【請求項２５】
前記少なくとも１つの変更可能な加入者サービスに適用される変更は、前記加入者サービスをイネーブルすること、前記加入者サービスをディセーブルすること、あるいは前記加入者サービスの一部を変更することからなるリストから選択される請求項２２に記載のコンピュータ読取媒体。
【請求項２６】
前記少なくとも１つの変更可能な加入者サービスは、ビデオ電話通信、インスタント・メッセージング、ショート・メッセージ・システム・サービス、あるいはウェブサイト・フィルタリングからなるリストから選択される請求項２２に記載のコンピュータ読取媒体。
【請求項２７】
通信システム内で動作する下位モバイル・デバイスにおける加入者サービスを変更するためのコンピュータ・プログラムを格納するコンピュータ読取可能媒体であって、
通信システム内で動作し、モバイル・デバイス・プランに関連付けられた下位モバイル・デバイスへの伝送を受信するためのコンピュータ読取可能コードを備え、
前記伝送は、前記下位モバイル・デバイス上で動作する少なくとも１つの変更可能な加入者サービスを変更する命令群を含み、前記命令群は、前記モバイル・デバイス・プランに関連付けられた上位モバイル・デバイスから発行され、前記下位モバイル・デバイスは、前記上位モバイル・デバイスの下位にあり、
前記コンピュータ読取可能媒体はさらに、
前記受信された伝送を認証するためのコンピュータ読取可能コードと、
前記受信され認証された伝送を解析するためのコンピュータ読取可能コードと、
前記下位モバイル・デバイスで動作する少なくとも１つの変更可能な加入者サービスに関連付けられた命令群を、前記受信され解析された伝送から特定するためのコンピュータ読取可能コードと、
前記特定された命令群に基づいて、前記少なくとも１つの変更可能な加入者サービスを変更するためのコンピュータ読取可能コードと
を備えるコンピュータ読取媒体。
【請求項２８】
加入者サービスの変更の検証を生成するためのコンピュータ読取可能コードと、
前記生成された検証を送信するためのコンピュータ読取可能コードと
をさらに備える請求項２８に記載のコンピュータ読取媒体。
【請求項２９】
前記受信された伝送は、前記上位モバイル・デバイスによって生成されたショート・メッセージ・システム・メッセージである請求項２８に記載のコンピュータ読取媒体。
【請求項３０】
前記受信された伝送は、サービス・プロバイダにおいて受信された前記上位モバイル・デバイスからの命令群に基づいて、前記サービス・プロバイダによって生成されたショート・メッセージ・システム・メッセージである請求項２８に記載のコンピュータ読取媒体。
【請求項３１】
前記少なくとも１つの変更可能な加入者サービスへ適用される変更は、前記加入者サービスをイネーブルすること、前記加入者サービスをディセーブルすること、あるいは前記加入者サービスの一部を変更することからなるリストから選択される請求項２８に記載のコンピュータ読取媒体。
【請求項３２】
前記少なくとも１つの変更可能な加入者サービスは、ビデオ電話通信、インスタント・メッセージング、ショート・メッセージ・システム・サービス、あるいはウェブサイト・フィルタリングからなるリストから選択される請求項２８に記載のコンピュータ読取媒体。
【発明の詳細な説明】
【技術分野】
【０００１】
本発明は、一般に、デバイス・コンフィギュレーションに関し、さらに詳しくは、無線デバイスの遠隔コンフィギュレーションに関する。
【背景技術】
【０００２】
今日、モバイル・デバイスは、多くのタスクを行なうことができる。従来のモバイル・デバイスは、例えば、テキスト・メッセージング、電子メール、ビデオ電話通信、ウェブ・ブラウジング等のように、デバイスにおいてデータを送信および受信する機能を含む。従来のモバイル・デバイスはセルラ・ネットワーク内で動作する。一般に、セルラ・デバイスは、購入時にプロビジョンされ、購入者の決定に基づいて加入者サービスが提供される。加入者サービスは、後に変更可能である。加入のために利用可能なサービスは、上述したものに加えて、エンタテイメント・サービス（例えば、セル電話ゲーム）および詳述するのがあまりにも多いその他のサービスをも含む。
【０００３】
セルラ・デバイスの従来の使用は、ほとんどの家庭が、しばしば子供も含む家族に対して１または複数のデバイスを提供することを含むほど、ここ１０年の間に劇的に成長した。子供にセルラ機能を提供する理由は多く、付加されたセキュリティ（例えば、子供は、脅されたと感じた場合、親や関係機関に電話することができる）、責任能力（例えば、親は、ほとんど常時子供と連絡して、子供を追跡することができる）、便宜性（例えば、子供は、地上電話が利用できない場合、車に乗るために、親に連絡することができる）等を含む。あいにく、モバイル・デバイス所有者によって加入された現在利用可能なサービスの多くは、家庭内のセルラ・デバイスの全てにとって望ましくはないかもしれない。例えば、ビデオ電話通信は、（例えば、少年少女のような）ユーザを、親にとって好ましくないコンテンツへ曝すかもしれない。別の例では、あるウェブサイトへのアクセスをブロックしたり、あるいは、そのエンティティ内のインターネットへのアクセスを拒否することが望ましいかもしれない。また別の例では、例えば、加入者契約に対する追加費用を低減するために、テキスト・メッセージングへのアクセスを拒否することが望ましいかもしれない。
【０００４】
一般に、モバイル・デバイスは、購入時、または、サービス・プロバイダと連絡をとって変更された時、所望のサービスのためにプログラムすることができる。しかしながら、これらのソリューションは煩わしく、サービス・プロバイダのリソースのみならず、時間の浪費と、モバイル・デバイス所有者の努力が必要となる。さらに、おのおののモバイル・デバイスへ提供されるサービスと同様に、家族メンバに提供されたモバイル・デバイスのうちの１または複数について、家庭のニーズは頻繁に変わりうる。
【０００５】
今まで当業者は、モバイル・デバイスに関するサービスへのアクセスを制御する優れた方法を有していなかった。
【発明の概要】
【０００６】
本発明は、関連するモバイル・デバイスのグループのメンバであるモバイル・デバイスにおけるサービスおよび／または機能へのアクセスを遠隔制御することに関する。簡潔に述べると、本発明は、モバイル・デバイスのグループ内のモバイル・デバイスのうちの１つを、上位モバイル・デバイスとして確立することと、使用許可を通じて、グループ内の他のモバイル・デバイスに利用可能な特定のサービスをイネーブルまたはディセーブルする機能を、上位モバイル・デバイスへ与えることとに関する。
【０００７】
１つの局面では、通信している下位モバイル・デバイスにおける加入者サービスを変更するためにモバイル・デイバスを利用するための方法と、この方法を実行するための命令群で符号化されたコンピュータ読取可能媒体とが提供される。この方法は、モバイル・デバイス・プランのメンバである上位モバイル・デバイスのユーザを認証することを含む。この認証は、入力データに基づく。モバイル・デバイス・プランは、少なくとも、上位モバイル・デバイスと、１または複数のその他のモバイル・デバイスを含む。この方法はさらに、入力データに基づいて、モバイル・デバイス・プラン・メンバから、変更可能な加入者サービスを有する下位モバイル・デバイスを決定することと、入力データに基づいて、決定された下位モバイル・デバイスにおける、変更される少なくとも１つの変更可能な加入者サービスを決定することと、入力データに基づいて、少なくとも１つの変更可能な加入者サービスに提供される変更を決定することと、決定された下位モバイル・サービスに関連付けられた少なくとも１つの変更可能な加入者サービスに対する決定された変更に基づいて、決定された下位モバイル・デバイスのための命令群を生成することと、生成された命令群を、下位モバイル・デバイスへ送ることとを含む。
【０００８】
別の局面では、通信システム内で動作する下位モバイル・デバイスにおいて加入者サービスを変更する方法と、この方法を実行するための命令群で符号化されたコンピュータ読取可能媒体とが提供される。この方法は、通信システム内で動作するモバイル・デバイス・プランに関連付けられた下位モバイル・デバイスへの伝送を受信することを含む。この伝送は、下位モバイル・デバイス上で動作している少なくとも１つの変更可能な加入者サービスを変更するための命令群を含む。これら命令群は、モバイル・デバイス・プランに関連付けられた上位モバイル・デバイスから送られ、下位モバイル・デバイスは、上位モバイル・デバイスの下位である。この方法はさらに、受信された伝送を認証することと、受信され認証された伝送を解析することと、受信され解析された伝送から命令群を識別することとを含む。識別された命令群は、下位モバイル・デバイス上で動作している少なくとも１つの変更可能な加入者サービスに関連付けられている。この方法はさらに、識別された命令群に基づいて、少なくとも１つの変更可能な加入者サービスを変更することを含む。
【０００９】
また別の局面では、モバイル・デバイス・プランの上位モバイル・デバイスへ、下位モバイル・デバイス上で動作している加入者サービスの遠隔制御を提供するシステムが提供される。このシステムは、セルラ通信システム・インフラストラクチャと、モバイル・デバイス・プランに関連付けられた上位モバイル・デバイスと、モバイル・デバイス・プランに関連付けられ、上位モバイル・デバイスと通信する下位モバイル・デバイスとを含む。上位モバイル・デバイスは、第１の通信バスと、少なくとも第１の通信ポートと、第１のユーザ・インタフェースと、少なくとも第１のプロセッサと、このプロセッサと通信する少なくとも第１の記憶装置デバイスと、このプロセッサによって読取可能な第１のコンピュータ読取可能メモリ・デバイスとを含む。第１のコンピュータ読取可能メモリ・デバイスは、第１のプロセッサに対して以下をさせるように構成された一連のコンピュータ実行可能ステップを含む。入力データに基づいて、モバイル・デバイス・プランのメンバから、変更可能な加入者サービスを有する下位モバイル・デバイスを決定すること。決定された下位モバイル・デバイスで動作し、変更される、少なくとも１つの変更可能な加入者サービスを、入力データに基づいて決定すること。入力データに基づいて、少なくとも１つの変更可能な加入者サービスに適用される変更を決定すること。決定された下位モバイル・デバイスに関連付けられた少なくとも１つの変更可能な加入者サービスに対して決定された変更に基づいて、決定された下位モバイル・デバイスのための命令群を生成すること。生成された命令群を、下位モバイル・デバイスへ送ること。下位モバイル・デバイスは、第２の通信バスと、少なくとも第２の通信ポートと、第２のユーザ・インタフェースと、少なくとも第２のプロセッサと、このプロセッサと通信する少なくとも第２の記憶装置デバイスと、このプロセッサによって読取可能な少なくとも第２のコンピュータ読取可能メモリ・デバイスとを含む。第２のコンピュータ読取可能メモリ・デバイスは、プロセッサに対して以下をさせるように構成された一連のコンピュータ実行可能ステップを含む。上位モバイル・デバイスの下位である下位モバイル・デバイスで動作する少なくとも１つの変更可能な加入者サービスを変更するための、モバイル・デバイス・プランに関連付けられた上位モバイル・デバイスから送られた命令群を含む伝送を受信すること。受信された伝送を認証すること。受信され認証された伝送を解析すること。受信され解析された伝送から、下位モバイル・デバイスで動作する少なくとも１つの変更可能な加入者サービスに関連付けられた命令群を識別すること。識別された命令群に基づいて、少なくとも１つの変更可能な加入者サービスを変更すること。
【図面の簡単な説明】
【００１０】
【図１】図１は、本発明の実施が特に適用可能な通信システムの実施形態を一般的に例示する機能ブロック図である。
【図２】図２は、本発明の実施が特に適用可能なアプリケーション実行環境を一般的に例示する機能ブロック図である。
【図３】図３は、本発明の実施が特に適用可能な別のアプリケーション実行環境を一般的に例示する機能ブロック図である。
【図４】図４は、本発明の実施が特に適用可能なモバイル・デバイスを一般的に例示する機能ブロック図である。
【図５】図５は、下位モバイル・デバイス上で動作する加入者サービスを、上位モバイル・デバイスにおいて制御するための命令群を生成する処理を一般的に例示する動作フロー図である。
【図６】図６は、下位モバイル・デバイス上で動作する加入者サービスを、上位モバイル・デバイスにおいて変更するための命令群を受信する処理を一般的に例示する動作フロー図である。
【発明を実施するための形態】
【００１１】
以下は、無線通信システム内のモバイル・デバイスによって利用されるサービスを制御するための様々な技術およびメカニズムの詳細な記述である。極めて一般的に述べると、本発明は、モバイル・デバイスのグループ内の他のモバイル・デバイスに利用可能な具体的なサービスまたはそのモバイル・デバイス上で利用可能な具体的なサービスを、イネーブルまたはディセーブルする機能を備えた、グループ内のモバイル・デバイスの１つを提供することに関する。
【００１２】
図１は、本発明の実施が特に適用可能な通信システム１００を一般的に例示する機能ブロック図である。通信システム１００は、モバイル・デバイスと音声および／またはデータの伝送を送信および受信するセルラ通信ネットワークである。通信システム１００は、図示するように、モバイル・デバイス間、あるいは、モバイル・デバイスと、公衆交換電話網（ＰＳＴＮ）のような別の通信システム上の通信設備との間の通信を容易にするための塔１２０のようなハードウェアと、ソフトウェアとを含んでいる。
【００１３】
モバイル電話中継局（ＭＴＳＯ）１３０は、塔１２０と通信し、通信システム１００の一般的な動作を制御する。サービス・プロバイダ１４０は、ＭＴＳＯ１３０と通信する。サービス・プロバイダ１４０は、通信サービスを提供するエンティティであり、例えば音声通信、無線インターネット・アクセス、無線電子メール・アクセス、無線テキスト・メッセージング等のような加入者サービスを、通信システム１００内のモバイル・デバイスへ提供するインフラストラクチャ（例えば、ハードウェアおよびソフトウェア）を含んでいる。
【００１４】
通信システム１００はさらに、共通のモバイル・デバイス・プラン１１０にグループ化されるモバイル・デバイス１１１−１１３を含んでいる。モバイル・デバイス１１１−１１３は、例えば、セルラ電話、セルラ装備車両、セルラ装備ＰＤＡデバイス等のように、通信システム１００と互換性のある２方式通信デバイスである。モバイル・デバイス１１１−１１３はまた、ＳＭＳメッセージを受信および送信するようにも構成されうる。さらに、モバイル・デバイス１１１−１１３はそれぞれ、例えば、ゲーム、インスタント・メッセージング・アプリケーション等のような他の機能および／またはアプリケーションを含みうる。モバイル・デバイスの具体的な１つの実施形態は、図３にさらに詳細に例示および記載されている。
【００１５】
モバイル・デバイス・プラン１１０は、モバイル・デバイス１１１−１１３の所有者または操作者との契約関係に基づいて、サービス・プロバイダ１４０によって定義されるような具体的なモバイル・デバイスの管理上の組み合わせである。モバイル・デバイス・プラン１１０は、プランに登録され関連付けられたモバイル・デバイスへ、例えば、利用可能な送信時間（例えば、分）の共有、同じプラン内に関連付けられたモバイル・デバイス間の通信のための送信時間割引料金、プラン内で定められた送信時間利用の限度を越えることに対する割引料金のみならず、例えば、発呼者識別、自動転送、無線インターネット・アクセス、無線電子メール、ビデオ電話通信、その他の無線エンタテイメント（例えばゲーム）等のような特定の利益を与える。一例において、モバイル・デバイスは、購入されると、個々のデバイスの番号割当モジュール（ＮＡＭ）内のデータと、モバイル・デバイスの所有者／操作者によって契約されたサービスとに基づいてプロビジョンされる。ＮＡＭは、モバイル・デバイス（例えば、無線電話番号）のモバイル識別番号（ＭＩＮ）と、このモバイル・デバイスが関連付けられているセル電話システムを識別するシステムＩＤ（ＳＩＤ）と、このモバイル・デバイスで利用可能な加入者サービスの起動のための起動コードと、この電話にユニークな電子シリアル番号（ＥＳＮ）とを含む。プロビジョニング処理によって、サービス・プロバイダは、モバイル・デバイスを、プラン内に関連付けることのみならず、加入した機能を実施することが可能となる。
【００１６】
本実施形態に従って、モバイル・デバイス・プラン１１０内の１つのモバイル・デバイスは、例えば上位モバイル・デバイス１１１のような「上位」モバイル・デバイスとして指定される。１つのモバイル・デバイスを上位モバイル・デバイスとして指定することにより、モバイル・デバイス・プラン１１０内の他のモバイル・デバイスに利用可能なある機能またはサービスを制御する権限を上位モバイル・デバイスに与える。例えば、上位モバイル・デバイス１１１は、モバイル・デバイス・プラン１１０内の他のモバイル・デバイスのある機能、アプリケーション、またはその他の機能を起動または停止することができる。１つの実施では、上位モバイル・デバイス１１１は、モバイル・デバイス・プラン１１０内の他のモバイル・デバイスのある機能を管理する命令を用いて、スペシャル・メッセージ１６０を生成する機能を含む。
【００１７】
一般的な動作では、上位モバイル・デバイス１１１は、モバイル・デバイス・プラン１１０内の他のモバイル・デバイスに利用可能な機能の起動または停止を管理する命令群を含むスペシャルＳＭＳメッセージ１６０を生成する。上位モバイル・デバイス１１１は、このスペシャルＳＭＳメッセージ１６０を、塔１２０およびＭＴＳＯ１３０を介して、モバイル・デバイス・プラン１１０内の、関連している他のモバイル・デバイスへ送信する。モバイル・デバイス１１３が、このスペシャルＳＭＳメッセージ１６０を受信すると、これら命令群が実行され、モバイル・デバイス１１３上で動作するサービス／機能が、それにしたがってイネーブルまたはディセーブルされる。そのような実施は、例えばインスタント・メッセージング・アプリケーション、ビデオ・コンテンツの表示等のように、関連するモバイル・デバイス１１３上で実行しているローカル機能またはアプリケーションを制御するために有用でありうる。
【００１８】
別の例において、上位モバイル・デバイス１１１は、例えば塔１２０およびＭＴＳＯ１３０を経由して、サービス・プロバイダ１４０と通信する。上位モバイル・デバイス１１１は、モバイル・デバイス１１３に関連する命令群を、サービス・プロバイダ１４０に通信し、モバイル・デバイス１１３上で動作するどのサービスがイネーブルされるかディセーブルされるかを示す。この例において、サービス・プロバイダ１４０は、スペシャルＳＭＳメッセージ１６０を生成し、モバイル・デバイス１１３へ送ることができる。モバイル・デバイス１１３がスペシャルＳＭＳメッセージ１６０を受信すると、これら命令群が実行され、モバイル・デバイス１１３上で動作するサービスがそれに従ってイネーブルまたはディセーブルされる。あるいは、サービス・プロバイダ１４０は、関連するモバイル・デバイス１１３へメッセージを送信することに頼らずに、関連するモバイル・デバイス１１３に利用可能なサービス提供、およびその内部データベースを単に変更または修正することができる。そのような代案は、例えば、データ・ネットワーク・アクセス、長距離電話等のように、モバイル・デバイスに利用可能なより一般的な機能を制御するのに有用でありうる。
【００１９】
図２は、モバイル・デバイス・プラン内の下位モバイル・デバイス上に存在するアプリケーション実行環境２００を一般的に例示する機能ブロック図である。アプリケーション実行環境２００は、モバイル・デバイス等でソフトウェアを実行するためのシステムでありうる。この実施形態では、アプリケーション実行環境２００は、上位モバイル・デバイスから命令群を受信することに基づいて、（図示しない）通信システム内で動作するモバイル・デバイス内の機能の動作を制御する構成要素を含む。
【００２０】
ＳＭＳクライアント２１０は、例えば今日一般的に用いられているＳＭＳメッセージング・プロトコルのようなメッセージング伝送によってメッセージを送信および受信するための一般的な制御機能を提供する。ＳＭＳクライアント２１０は、通信構成要素２０１とメッセージの送信および受信を行い、受信したメッセージを、処理のために、メッセージ・キュー２１５に格納することができる。
【００２１】
ＳＭＳクライアント２１０は、例えば特定のヘッダ等のように、メッセージに含まれる情報に基づいて、受信したメッセージのおのおののメッセージ・タイプを判定する。例えば、受信したメッセージ内のヘッダは、アプリケーション実行環境２００内で動作する加入者サービスに関する命令群を含むメッセージであることを示すことができる。１つの実施形態では、加入者サービスに関連する命令群を含むメッセージは、モバイル・デバイス・プラン内の上位モバイル・デバイスから、アプリケーション実行環境２００がメンバにも関連付けられているモバイル・デバイスへ送られる。ＳＭＳクライアント２１０はまた、メッセージ伝送による伝送のためのメッセージを構成する。
【００２２】
認証マネジャ２２０は、受信したＳＭＳメッセージに対し、アプリケーション実行環境２００内で動作する加入者サービスを変更するための命令群を含む認証機能を提供する。認証マネジャ２２０は、モバイル・デバイス・プラン内の上位モバイル・デバイスから受信したＳＭＳメッセージかを判定する。
【００２３】
下位加入者サービス２４０は、イネーブルされた場合、特定の機能を実現するサービスおよび／または具体的なアプリケーションを含む。加入者サービスの例は、ＳＭＳメッセージ・サービス２４１、インスタント・メッセージング・サービス２４２、ビデオ電話通信サービス２４３、およびウェブ・フィルタ・サービス２４５を含む。ＳＭＳメッセージ・サービス２４１は、例えばテキスト・メッセージング機能や電子メール・メッセージング機能のような電子メッセージング機能を提供する。インスタント・メッセージング２４２およびビデオ電話通信２４３は、メッセージング機能および、ビデオ・ストリーム受信機能をそれぞれ提供する。同様に、ウェブサイト・フィルタ２４５は、ウェブサイト・データベース２４６に格納されたウェブサイトの「ｎｏ  ｇｏ」リストに基づいて、インターネット上の特定のウェブサイト位置へのアクセスをフィルタおよび拒否する機能を提供する。１つの実施形態では、ウェブサイトの「ｎｏ  ｇｏ」リストは、サービス・プロバイダによって提供されるリストである。別の実施形態では、ウェブサイトの「ｎｏ  ｇｏ」リストは、プラン所有者によって提供されるリストである。また別の実施形態では、ウェブサイトの「ｎｏ  ｇｏ」リストは、サービス・プロバイダによって提供されるリストと、プラン所有者によって提供されるリストとの組み合わせである。下位であるその他のモバイル・デバイスに下位デバイスを加えるための、新加入者サービス追加（例えば、新たなアプリケーション、ゲーム等のインストール）のような、その他多くの加入者サービスもまた可能である。
【００２４】
加入者サービス・ハンドラ２３０は、認証され受信されたメッセージを評価し、適切な場合、１または複数の加入者サービス２４０の状態を変更するためのエンジンである。ブロードキャスト・メッセージ・ハンドラ２１０は、認証マネジャ２２０および下位加入者サービス２４０を経由してＳＭＳクライアント２１０と通信する。
【００２５】
１つの実施形態では、加入者サービス・ハンドラ２３０は、加入者サービスに関する命令群を含むＳＭＳメッセージが受信されると、ＳＭＳクライアント２１０によって通知される。この実施形態では、加入者サービス・ハンドラ２３０は、ルール・データベース２３１に格納されたルールを、命令群に適用し、これら命令群に基づいて、適切な動作が決定される。一例において、これら命令群およびルールは、加入者サービス２４０のうちの１つの実行状態における変化を示す。例えば、インスタント・メッセージングはホスト・モバイル・デバイス上でディセーブルされねばならないとこれら命令群が示すのであれば、セキュリティ・マネジャ２３５が、インスタント・メッセージング・サービス２４２をディセーブルする。別の例では、受信した命令群に基づいて、セキュリティ・マネジャ２３５は、ウェブサイト・フィルタ２４５機能をイネーブルし、これによって、ウェブ・ブラウザが、ウェブサイト・データベース２４６内の「ｎｏ  ｇｏ」リストに基づいてフィルタ・モードで動作するようにする。
【００２６】
図３は、モバイル・デバイス・プラン内の上位モバイル・デバイスに存在することができる別のアプリケーション実行環境３００を一般に例示する機能ブロック図である。アプリケーション実行環境３００は、モバイル・デバイス等でソフトウェアを実行するためのシステムでありうる。この実施形態では、アプリケーション実行環境３００は、ユーザの命令に基づいて、通信システム（図示せず）内で動作する別のモバイル・デバイス内の加入者サービスの動作を制御するための命令群を生成する構成要素を含む。
【００２７】
ＳＭＳクライアント３１０は、今日一般に用いられている例えばＳＭＳメッセージング・プロトコルのようなメッセージング伝送によってメッセージの送信および受信を行うための一般的な制御機能を提供する。ＳＭＳクライアント３１０は、通信構成要素３０１とメッセージの送信および受信を行い、送信準備のできたメッセージをメッセージ・キュー３１５に格納することができる。
【００２８】
ＳＭＳクライアント３１０はまた、メッセージ伝送による伝送のためのメッセージを構成する。この実施形態では、アプリケーション実行環境３００は、関連するモバイル・デバイス・プラン内の上位デバイス上に存在する。したがって、ＳＭＳクライアント３１０は、モバイル・デバイス・プラン内の下位モバイル・デバイスの加入者サービスを制御するための命令群を含むスペシャルＳＭＳメッセージを作成するように構成される。
【００２９】
加入者サービス・コントローラ３３０は、アプリケーション実行環境３００が作動しているモバイル・デバイスに関連付けられたモバイル・デバイス・プラン内の他のモバイル・デバイス上で動作する、特別な加入者サービスを制御する機能を含むサービス・クライアントである。加入者サービスの例は、ＳＭＳメッセージ・サービス、インスタント・メッセージング・サービス、ビデオ電話通信サービス、ウェブ・フィルタリング・サービス等を含んでいる。
【００３０】
加入者サービス・コントローラ３３０は、モバイル・デバイス・プランに関連付けられたモバイル・デバイスを記述するデータ（モバイル・デバイス・プラン・データ３４０）、モバイル・デバイス・プラン内の各デバイスに関連する加入者サービス、および恐らくは、各モバイル・デバイスに関連する人を含む。モバイル・デバイス・プラン・データ３４０は、モバイル・デバイス・プラン内のおのおののモバイル・デバイスを識別するデバイス・データベース３４６と、利用可能かつ制御可能なおのおのの加入者サービスを識別するサービス・データベース３４５とを含むことができる。
【００３１】
さらに、加入者サービス・コントローラ３３０は、モバイル・デバイス・プラン内のモバイル・デバイスの加入者サービスに関するユーザ命令群を受け取り、受け取ったユーザ命令群に基づいて、モバイル・デバイス・プラン内の下位デバイスのための命令群を生成する。さらに詳しくは、ユーザ・インタラクションによって、加入者サービス・コントローラ３３０は、下位モバイル・デバイスにおいて利用可能な加入者サービスを変更するためのユーザ命令群を受け取るように動作する。これらユーザ命令群に基づいて、加入者サービス・コントローラ３３０は、下位モバイル・デバイスへ発行するための例えばＳＭＳメッセージのようなメッセージを生成する。このメッセージは、ユーザ命令群を有効にし、下位モバイル・デバイス上の関連する加入者サービスをイネーブルまたはディセーブルするように動作するコードおよび／または命令群を含む。そのメッセージは、その後、ＳＭＳクライアント３１０を用いて下位モバイル・デバイスへ直接的に送信されるか、あるいは、加入者サービスを間接的に制御するために恐らくはサービス・プロバイダへ送信される。
【００３２】
加入者サービス・コントローラ３３０は、オプションとして、命令群を提供するユーザが、そうすることを許可されたことを確認するためのセキュリティ・マネジャを含むことができる。例えば、セキュリティ・マネジャ３３５は、ユーザによって提供されたパスワードを、格納されたパスワード３３６と比較することができる。
【００３３】
図４は、本発明の実施が特に適用可能なサンプル・モバイル・デバイス４０１を一般的に例示する機能ブロック図である。モバイル・デバイス４０１は、例えばセルラ電話、携帯情報端末、ポータブル音楽プレーヤ、グローバル・ポジショニング衛星（ＧＰＳ）デバイス等のような任意のハンドヘルド計算デバイスでありうる。本明細書の記載は、ハンドヘルド計算デバイスについて記述されているが、本発明の実施は、その他の領域においても等しい適用性を持ちうることが理解されるべきである。
【００３４】
この例において、モバイル・デバイス４０１は、プロセッサ・ユニット４０４、メモリ４０８、および記憶媒体４１３を含んでいる。プロセッサ・ユニット４０４は、有利なことに、例えばデジタル信号プロセッサ（ＤＳＰ）のような特別用途プロセッサまたはマイクロプロセッサを含んでいるが、プロセッサ、コントローラ、マイクロコントローラ、あるいは状態機械からなる従来の形態でもありうる。モバイル・デバイス４０１はまた、本説明に関連しない追加構成要素を含んでいても良い。
【００３５】
プロセッサ・ユニット４０４は、メモリ４０８に接続されている。メモリ４０８は、有利なことに、プロセッサ・ユニット４０４によって実行されるソフトウェア命令群を保持したＲＡＭメモリとして実現される。この実施形態では、メモリ４０８に格納されたソフトウェア命令群は、１または複数のアプリケーション４１２、媒体制御要素４１１、オペレーティング・システム４１０を含む。メモリ４０８は内蔵型ＲＡＭであることができる。あるいは、プロセッサ・ユニット４０４とメモリ４０８とが、集合的に特定用途向けＩＣ（ＡＳＩＣ）に存在することもできよう。代替実施形態では、メモリ４０８は、例えばＳｍａｒｔＭｅｄｉａ（登録商標）カードのようなフラッシュ・メモリまたはファームウェアから構成されうる。
【００３６】
プロセッサ・ユニット４０４はまた、記憶媒体４１３に接続される。記憶媒体４１３は、幾つか例を挙げると、例えばＲＯＭメモリ、フラッシュ・メモリ、または磁気ディスク・ドライブのような任意の不揮発性メモリとして実現されうる。記憶媒体４１３は、これら技術、あるいは例えばキャッシュ（ＲＡＭ）メモリを備えた磁気ディスク・ドライブ等のようなその他の技術の任意の組み合わせとして実現されうる。この特定の実施形態では、記憶媒体４１３は、電源がオフされている間、あるいは電源が投入されていない間、データを格納するために使用される。
【００３７】
モバイル・デバイス４０１はまた、モバイル・デバイス４０１と、１またはその他の計算デバイスとの間の双方向通信を可能にする通信モジュール４２１を含む。通信モジュール４２１は、ＲＦ通信、あるいは例えばセルラ電話ネットワーク、Ｂｌｕｅｔｏｏｔｈ（登録商標）接続、無線ローカル・ネットワークまたは広域ネットワーク、あるいは恐らくグローバル・ポジショニング衛星受信機のようなその他の無線通信を可能にする構成要素を含むことができる。あるいは、通信モジュール４２１は、陸線ネットワーク通信、あるいは、例えばイーサネット（登録商標）接続、ユニバーサル・シリアル・バス接続、ＩＥＥＥ  １３９４（ファイヤワイヤ）接続等のようなハード・ワイヤ・ネットワーク接続を可能にする構成要素を含むことができる。これらは、網羅的なリストではないことが意図されており、その他多くの代替例も可能である。
【００３８】
図５は、上位モバイル・デバイスにおいて、モバイル・デバイス・プランによって上位モバイル・デバイスに関連付けられた下位モバイル・デバイスで動作する加入者サービスを制御する命令群を生成する方法５００を一般的に例示する動作フロー図である。１つの実施形態では、図１−５の典型的な動作環境、データ、および／または構成要素を用いて実施される。図５に例示された方法５００は、図１−５に示す構成要素に関連して説明されているが、これは単に便宜的であり、方法５００を実施するために、別の構成要素も適用されうることが理解されるべきである。
【００３９】
好適には、方法５００のうちの１または複数のステップが、コンピュータ読取可能コードを含むコンピュータ読取可能媒体に組み込まれ、コンピュータ読取可能コードが計算デバイス上で実行された場合、一連のステップが実施される。いくつかの実施では、方法５００のあるステップが、方法５００の目的から逸脱することなく結合されたり、同時あるいは異なる順序で実施されたり、あるいは省略されうる。
【００４０】
方法５００は、ステップ５０１で始まる。ステップ５１０では、上位モバイル・デバイスのユーザが認証される。このユーザは、下位モバイル・デバイスに対してなされた変更が、モバイル・デバイス・プランの所有者によって望まれていることを確認するために認証される。例では、上記図３に示すように、セキュリティ・マネジャ３３５は、ユーザによって提供されたパスワードを、格納されたパスワード３３６と比較することによって、命令群を提供したユーザが、それを許可されていることを確認する。
【００４１】
ステップ５２０では、ターゲットとされた下位モバイル・デバイスが、モバイル・デバイス・プラン内の利用可能な下位モバイル・デバイスから選択される。１つの実施形態では、下位モバイル・デバイスが、下位モバイル・デバイスに関連付けられたユーザによって識別される。例では、上記図３に示すように、モバイル・デバイス・プラン３４０が、デバイス・データベース３４６からモバイル・デバイス識別子を検索することによって、下位モバイル・デバイスのリストを生成する。この例において、ユーザには、１つを選択するため、利用可能な下位モバイル・デバイスのリストが提示される。別の実施形態では、プラン内で利用可能な加入者サービスのリストが提供され、特定の加入者サービスが選択されたとき、プラン内の下位モバイル・デバイスが特定される。この例では、ユーザが、変更する加入者サービスを特定すると、ユーザには、利用可能な加入者サービスを有する下位モバイル・デバイスのリストが提示される。その後、ユーザは、下位モバイル・モバイルを特定する。
【００４２】
ステップ５３０において、ターゲットとされた加入者サービスが、ターゲットとされた下位モバイル・デバイスに関連付けられた利用可能なサービスから選択される。１つの実施形態では、ターゲットとされたモバイル・デバイスに関連付けられた加入者サービスのリストがユーザに提示され、ユーザは、変更する加入者サービスを選択する。例では、上記図３に示すように、ターゲットとされたデバイスが決定されると、加入者サービス・コントローラ３３０は、選択されたデバイスに関連付けられたサービス・データベース３４５から、加入者サービスのリストを生成する。
【００４３】
ステップ５４０において、ターゲットとされた加入者サービスに対する変更が決定される。１つの実施形態では、ターゲットとされた加入者サービスがイネーブルされるか、ディセーブルされるかが決定される。別の実施形態では、例えば、ウェブサイト・フィルタ加入者サービスに関連付けられた“ｎｏ  ｇｏ”ウェブサイト・リストに対する変更のような変更が、加入者サービスの一部に対してなされるかが決定される。
【００４４】
ステップ５５０では、下位モバイル・デバイスで動作しているターゲット加入者サービスに対してなされる変更に基づいて、下位モバイル・デバイスのための命令群が生成される。例では、上記図３に示すように、加入者サービス・コントローラ３３０が、下位モバイル・デバイスで動作しているターゲット加入者サービスに対してなされる変更に基づいて、下位モバイル・デバイスのための命令群を生成する。
【００４５】
ステップ５６０では、下位モバイル・デバイスのために生成された命令群が、送信のためにフォーマットされ、送信される。例では、上記図３に示すように、下位モバイル・デバイスのために生成された命令群が、送信のためにフォーマットされ、このフォーマットされた命令群が、例えば図３に示すような通信構成要素３０１を介して下位モバイル・デバイスへ送信されるために、ＳＭＳクライアント３１０に渡される。
【００４６】
ステップ５７０において、方法５００は終了する。
【００４７】
図６は、モバイル・デバイス・プランによって上位モバイル・デバイスに関連付けられた下位モバイル・デバイス上で動作する加入者サービスを変更するための命令群を上位モバイル・デバイスから受信するための方法６００を一般的に例示する動作フロー図である。１つの実施形態では、方法６００は、図１−４の典型的な動作環境、データ、および／または構成要素をもって実現される。図６に例示する方法６００は、図１−４に示す構成要素に関連して記載されているが、これは単に便宜的であり、方法６００を実施するために、別の構成要素も適用されうることが理解されるべきである。
【００４８】
好適には、方法６００のうちの１または複数のステップが、コンピュータ読取可能コードを含むコンピュータ読取可能媒体に組み込まれ、コンピュータ読取可能コードが計算デバイス上で実行された場合、一連のステップが実施される。いくつかの実施では、方法６００のあるステップが、方法６００の目的から逸脱することなく結合されたり、同時あるいは異なる順序で実施されたり、あるいは省略されうる。
【００４９】
方法６００は、ステップ６０１において開始される。ステップ６１０では、ＳＭＳ送信が、下位モバイル・デバイスで受信される。１つの実施形態では、ＳＭＳ送信は、受信されるとメッセージ・キューへと渡され、処理待ちとなる。別の実施形態では、ＳＭＳ送信は、受信されると、処理のために認証マネジャに渡される。例では、上記図２に示すように、ＳＭＳ送信は、通信構成要素２０１を介してＳＭＳクライアント２１０によって受信される。この例において、受信されたメッセージは、メッセージ・キュー２１５に渡されて、処理待ちとなるか、あるいは、さらなる処理のために、認証マネジャ２２０へ渡されうる。
【００５０】
ステップ６２０では、受信されたメッセージが認証される。１つの実施形態では、受信されたメッセージは、標準的な業界認証方法を用いて認証される。認証されたメッセージは、その後、加入者サービス・ハンドラへ渡される。
【００５１】
認証されたメッセージは、その後、ステップ６３０において、命令群に関して解析される。１つの実施形態では、この認証されたメッセージは、加入者サービス・ハンドラによって、命令群に関して解析される。例では、上記図２に示すように、認証されたメッセージが、加入者サービス・ハンドラ２３０によって、命令群に関して解析される。
【００５２】
ステップ６４０では、加入者サービスに関連付けられた命令群が特定される。１つの実施形態では、下位の加入者サービス内で動作する加入者サービスに関連付けられた命令群が特定される。例では、図２に示すように、下位の加入者サービス２４０内で動作する加入者サービスに関連付けられた命令群が特定される。
【００５３】
ステップ６５０では、特定された命令群に基づいて、加入者サービスが変更される。１つの実施形態では、加入者サービスが、加入者サービス・ハンドラに関連付けられたルールと、特定された命令群とに基づいて変更される。例では、図２に示すように、ルール・データベース２３１から検索され、加入者サービス・ハンドラ２３０に関連付けられたルールと、特定された命令群とに基づいて、加入者サービスが変更される。１つの実施形態では、この変更によって、例えばＳＭＳメッセージ・サービス、インスタント・メッセージング・サービス、ビデオ電話通信サービス、ウェブ・フィルタ・サービス等のような加入者サービスをイネーブルまたはディセーブルすることができる。別の実施形態では、これら変更によって、例えば、ウェブ・フィルタ・サービス２４５に関連付けられたウェブサイト・データベース２４６に格納されたウェブサイトの“ｎｏ  ｇｏ”リストを変更するように、加入者サービスの動作が変更される。
【００５４】
ステップ６６０では、加入者サービスの変更の検証が生成され、モバイル・デバイス・プラン内の上位モバイル・デバイスへ送信される。１つの実施形態では、加入者サービス・ハンドラが、加入者サービスの変更の検証を生成し、ＳＭＳクライアントが、この加入者サービスの変更の検証を送信する。例では、図２に示すように、加入者サービス・ハンドラ２３０が、加入者サービスの変更の検証を生成し、ＳＭＳクライアント２１０が、例えば図１に示すような加入者サービスの変更の検証を送信する。
【００５５】
ステップ６７０において、方法６００は終了する。
【００５６】
本発明は、特定の実施形態および実装に関連して説明されているが、これらは単なる例示であり、本発明の範囲は、これら実施形態に限定されないことが理解されるべきである。上述した実施形態に対する多くの変形、変更、追加、および改良が可能である。これら変形、変更、追加、および改良は、特許請求の範囲内で詳述された本発明の範囲内にあることが考慮される。
【図１】
2010501149.tif 000003
【図２】
2010501149.tif 000004
【図３】
2010501149.tif 000005
【図４】
2010501149.tif 000006
【図５】
2010501149.tif 000007
【図６】
2010501149.tif 000008
【国際調査報告】
2010501149.tif 000009
2010501149.tif 000010
2010501149.tif 000011